(57)【要約】【課題】タンクカバーを設置した時点で、カバー側洗浄ハンドルを定位置に設置することができる便器洗浄装置を提供すること。【解決手段】タンク本体３１と、少なくともタンク本体３１の側部を覆うタンクカバー３３と、タンク本体３１に固定され、軸部材３８２を回転させることが可能なタンク本体側洗浄ハンドル３８と、タンクカバー３３に取り付けられるカバー側洗浄ハンドル３９と、を備え、タンク本体３１又はタンクカバー３３は、便器洗浄装置２の前後方向Ｙにおいてタンク本体３１に対するタンクカバー３３の移動を規制する第１リブ７，８を有する。【選択図】図４
2017197969.tif 000002
【特許請求の範囲】
【請求項１】
タンク本体と、
少なくとも前記タンク本体の側部を覆うタンクカバーと、
前記タンク本体に固定され、軸部材を回転させることが可能なタンク本体側洗浄ハンドルと、
前記タンクカバーに取り付けられ、前記タンク本体側洗浄ハンドルを回転させることが可能なカバー側洗浄ハンドルと、を備える便器洗浄装置であって、
前記タンク本体又は前記タンクカバーは、前記便器洗浄装置の前後方向において前記タンク本体に対する前記タンクカバーの移動を規制する第１リブを有する便器洗浄装置。
【請求項２】
前記タンク本体又は前記タンクカバーは、前記便器洗浄装置の左右方向において前記タンク本体に対する前記タンクカバーの移動を規制する第２リブを有する請求項１に記載の便器洗浄装置。
【請求項３】
前記第１リブは、前記タンク本体に設けられると共に、前記タンク本体の上部に設けられる請求項１又は２に記載の便器洗浄装置。
【請求項４】
前記第１リブは、前記タンク本体側洗浄ハンドルの近傍に配置される請求項１から３のいずれかに記載の便器洗浄装置。
【請求項５】
前記第１リブは、前記便器洗浄装置の左右方向において、前記タンク本体側洗浄ハンドルと前記タンク本体との固定位置の近傍に配置される請求項４に記載の便器洗浄装置。
【請求項６】
前記第２リブは、前記タンク本体に設けられると共に、前記タンク本体の上部に設けられる請求項２に記載の便器洗浄装置。
【請求項７】
前記第２リブは、前記タンク本体側洗浄ハンドルの近傍に配置される請求項２又は６に記載の便器洗浄装置。
【請求項８】
前記第２リブは、前記便器洗浄装置の左右方向において、前記タンク本体側洗浄ハンドルと前記タンク本体との固定位置の近傍に配置される請求項２、６、７のいずれかに記載の便器洗浄装置。
【請求項９】
前記タンクカバーを上昇前の定位置と上昇後の上昇位置との間で昇降させる昇降装置を備え、
前記カバー側洗浄ハンドルは、前記昇降装置による前記タンクカバーの昇降に伴って昇降し、前記タンクカバーの定位置において前記タンク本体側洗浄ハンドルを回転させることが可能な位置に配置され、前記タンクカバーの上昇位置において前記定位置よりも上方側に離間して配置される請求項１から８のいずれかに記載の便器洗浄装置。
【発明の詳細な説明】
【技術分野】
【０００１】
本発明は、便器洗浄装置に関する。
【背景技術】
【０００２】
従来、洗浄水が貯留されるタンク本体と、上部が開口すると共にタンク本体の側部を覆うタンクカバーと、タンクカバーの上部の開口を塞ぐタンクカバー蓋部と、を備える便器洗浄装置が知られている（例えば、特許文献１参照）。
【先行技術文献】
【特許文献】
【０００３】
【特許文献１】特開２０１２−２０２１２１号公報
【発明の概要】
【発明が解決しようとする課題】
【０００４】
特許文献１に記載の便器洗浄装置において、例えば、タンク本体に固定されるタンク本体側洗浄ハンドルと、タンクカバーに取り付けられタンク本体側洗浄ハンドルを回転させることが可能なカバー側洗浄ハンドルと、を備える場合には、タンクカバーを設置した時点では、カバー側洗浄ハンドルが、定位置に設置されない可能性がある。
【０００５】
本発明は、タンクカバーを設置した時点で、カバー側洗浄ハンドルを定位置に設置することができる便器洗浄装置を提供することを目的とする。
【課題を解決するための手段】
【０００６】
本発明は、タンク本体（例えば、後述のタンク本体３１）と、少なくとも前記タンク本体の側部を覆うタンクカバー（例えば、後述のタンクカバー３３）と、前記タンク本体に固定され、軸部材（例えば、後述の回転軸部材３８２）を回転させることが可能なタンク本体側洗浄ハンドル（例えば、後述のタンク本体側洗浄ハンドル３８）と、前記タンクカバーに取り付けられ、前記タンク本体側洗浄ハンドルを回転させることが可能なカバー側洗浄ハンドル（例えば、後述のカバー側洗浄ハンドル３９）と、を備える便器洗浄装置（例えば、後述の便器洗浄装置２）であって、前記タンク本体又は前記タンクカバーは、前記便器洗浄装置の前後方向（例えば、後述の前後方向Ｙ）において前記タンク本体に対する前記タンクカバーの移動を規制する第１リブ（例えば、後述の前方側リブ７、後方側リブ８）を有する便器洗浄装置に関する。
【０００７】
また、前記タンク本体又は前記タンクカバーは、前記便器洗浄装置の左右方向（例えば、後述の左右方向Ｘ）において前記タンク本体に対する前記タンクカバーの移動を規制する第２リブ（例えば、後述の後方側リブ８）を有することが好ましい。
【０００８】
また、前記第１リブは、前記タンク本体に設けられると共に、前記タンク本体の上部に設けられることが好ましい。
【０００９】
また、前記第１リブは、前記タンク本体側洗浄ハンドルの近傍に配置されることが好ましい。
【００１０】
また、前記第１リブは、前記便器洗浄装置の左右方向において、前記タンク本体側洗浄ハンドルと前記タンク本体との固定位置（例えば、後述の固定位置Ｘａ）の近傍に配置されることが好ましい。
【００１１】
また、前記第２リブは、前記タンク本体に設けられると共に、前記タンク本体の上部に設けられることが好ましい。
【００１２】
また、前記第２リブは、前記タンク本体側洗浄ハンドルの近傍に配置されることが好ましい。
【００１３】
また、前記第２リブは、前記便器洗浄装置の左右方向において、前記タンク本体側洗浄ハンドルと前記タンク本体との固定位置の近傍に配置されることが好ましい。
【００１４】
また、前記タンクカバーを上昇前の定位置と上昇後の上昇位置との間で昇降させる昇降装置（例えば、後述の昇降装置６）を備え、前記カバー側洗浄ハンドルは、前記昇降装置による前記タンクカバーの昇降に伴って昇降し、前記タンクカバーの定位置において前記タンク本体側洗浄ハンドルを回転させることが可能な位置に配置され、前記タンクカバーの上昇位置において前記定位置よりも上方側に離間して配置されることが好ましい。
【発明の効果】
【００１５】
本発明によれば、タンクカバーを設置した時点で、カバー側洗浄ハンドルを定位置に設置することができる便器洗浄装置を提供することができる。
【図面の簡単な説明】
【００１６】
【図１】本発明の一実施形態に係る昇降装置６を含む便器装置１を示す図であって、タンクカバー３３が上昇前の定位置に配置された場合を示す図である。
【図２】本発明の一実施形態に係る昇降装置６を含む便器装置１を示す図であって、タンクカバー３３が上昇後の上昇位置に配置された場合を示す図である。
【図３】タンク本体３１の前方側リブ７及び後方側リブ８とタンクカバー３３との位置関係を示す平面図である。
【図４】タンク本体３１の前方側リブ７及び後方側リブ８を示す斜視図である。
【図５】タンク本体３１の前方側リブ７及び後方側リブ８を示す平面図である。
【図６】前方側リブ７とタンクカバー３３との位置関係を示す断面図である。
【図７】後方側リブ８とタンクカバー３３との位置関係を示す斜視図である。
【図８】後方側リブ８とタンクカバー３３との位置関係を示す断面図である。
【図９】カバー側洗浄ハンドル３９がタンク本体側洗浄ハンドル３８から離間して上昇した上昇位置に配置された場合を示す斜視図である。
【発明を実施するための形態】
【００１７】
以下、本発明の便器装置１の一実施形態について、図面を参照しながら説明する。図１は、本発明の一実施形態に係る昇降装置６を含む便器装置１を示す図であって、タンクカバー３３が上昇前の定位置に配置された場合を示す図である。図２は、本発明の一実施形態に係る昇降装置６を含む便器装置１を示す図であって、タンクカバー３３が上昇後の上昇位置に配置された場合を示す図である。図３は、タンク本体３１の前方側リブ７及び後方側リブ８とタンクカバー３３との位置関係を示す平面図である。図４は、タンク本体３１の前方側リブ７及び後方側リブ８を示す斜視図である。図５は、タンク本体３１の前方側リブ７及び後方側リブ８を示す平面図である。図６は、前方側リブ７とタンクカバー３３との位置関係を示す断面図である。図７は、後方側リブ８とタンクカバー３３との位置関係を示す斜視図である。図８は、後方側リブ８とタンクカバー３３との位置関係を示す断面図である。図９は、カバー側洗浄ハンドル３９がタンク本体側洗浄ハンドル３８から離間して上昇した上昇位置に配置された場合を示す斜視図である。
【００１８】
以下の説明においては、便器装置１の便座１２に座った人から視た場合の前後の向きを前後方向Ｙとする。本実施形態では、前方側を前方側Ｙ１とし、後方側を後方側Ｙ２とする。また、便器装置１の便座１２に座った人から視た場合の左右の向きを左右方向Ｘとする。本実施形態では、座った人から視た場合の左側を一方側Ｘ１（図３〜図９の紙面では右側）とし、座った人から視た場合の右側を他方側Ｘ２（図３〜図９の紙面では左側）とする。また、鉛直方向に沿った上下の向きを上下方向とする。
【００１９】
本実施形態の便器装置１は、図１及び図２に示すように、便器洗浄装置２と、便器１１と、便座１２と、便蓋１３と、便器側部カバー部材１４と、を備える。便器洗浄装置２は、便器洗浄タンク３と、リアベース部材４と、フロントベース部材５と、昇降装置６と、を備える。
便器洗浄タンク３は、タンク本体３１と、タンク蓋部３２と、タンクカバー３３と、洗浄ハンドルユニット３４と、を備える。
【００２０】
便器１１は、便器本体１１ａを備える。
便座１２及び便蓋１３は、便器本体１１ａの上部に、便器本体１１ａに対して回動可能に取り付けられる。便器側部カバー部材１４は、便器装置１の下方における後部の側部に配置される。便器側部カバー部材１４は、便器装置１の後部において、便器１１の後部及び配管等を側方から覆う。
【００２１】
リアベース部材４は、便器本体１１ａの後方の上部に取り付けられる。リアベース部材４は、樹脂材料により形成され、便器装置１の左右方向Ｘ及び前後方向Ｙに延びるように形成される。リアベース部材４の上方には、タンク本体３１、タンク蓋部３２及び機能部材（図示せず）が配置される。
【００２２】
フロントベース部材５は、便器本体１１ａの後部の上方において、リアベース部材４の前方に配置される。フロントベース部材５は、樹脂材料により形成され、便器装置１の左右方向Ｘ及び前後方向Ｙに延びるように形成される。フロントベース部材５は、機能部材（図示せず）を支持する。
【００２３】
フロントベース部材５は、後述する昇降装置６により、リアベース部材４及び便器１１に対して上下方向に移動可能に構成される。フロントベース部材５は、昇降装置６により、上昇前の定位置（図１参照）又は上昇後の上昇位置（図２参照）に移動可能である。
【００２４】
タンクカバー３３は、図１に示すように、タンク本体３１及びタンク蓋部３２を覆うように、タンク本体３１及びタンク蓋部３２に被せられる。タンクカバー３３は、上部カバー部３３ａと、下部カバー部３３ｂと、を有する。
【００２５】
タンクカバー３３は、便器装置１の上方における後部に配置される。上部カバー部３３ａは、便器装置１の後部において、タンク本体３１、タンク蓋部３２及び機能部材（図示せず）を上方から覆う。下部カバー部３３ｂは、タンク本体３１の側部を覆う。下部カバー部３３ｂは、前方側Ｙ１において、フロントベース部材５に取り付けられている。下部カバー部３３ｂには、便座１２及び便蓋１３が、便器１１に対して開閉可能に取り付けられる。上部カバー部３３ａ、下部カバー部３３ｂ、便座１２及び便蓋１３は、昇降装置６の昇降に連動して、フロントベース部材５が昇降することで、上下方向に昇降される。
【００２６】
上部カバー部３３ａは、タンクカバー３３の上部を構成し、便器洗浄タンク３の上部を塞ぐように形成される。上部カバー部３３ａには、手洗い部９が設けられている。
下部カバー部３３ｂは、タンクカバー３３の下部を構成する。下部カバー部３３ｂは、筒状に形成され、タンク本体３１の側部の周囲を囲むように形成される。
【００２７】
手洗い部９は、図１に示すように、タンクカバー３３の上部カバー部３３ａに設けられている。手洗い部９は、手洗いボウル部９１と、手洗い吐水部９２と、を備える。
【００２８】
手洗いボウル部９１は、タンクカバー３３における上部カバー部３３ａの一部により構成される。手洗いボウル部９１は、手洗い吐水部９２から吐出される手洗い水を受ける。この手洗いボウル部９１の底部には、排水口（図示せず）が形成されている。
【００２９】
手洗い吐水部９２は、手洗いボウル部９１の背部側の前面から前方に突出するように配置される。この手洗い吐水部９２の先端部は、下方に開口している。
【００３０】
昇降装置６は、機能部材（図示せず）を支持するフロントベース部材５を、便器１１に対して昇降させる。昇降装置６は、機能部材（図示せず）が配置されたフロントベース部材５を昇降させることで、タンクカバー３３（上部カバー部３３ａ、下部カバー部３３ｂ）、便座１２及び便蓋１３を、上昇前の定位置（図１参照）又は上昇後の上昇位置（図２参照）に昇降させる。
【００３１】
昇降装置６は、図１及び図２に示すように、昇降操作レバー部材６１と、昇降機構部６２と、を備える。本実施形態においては、昇降装置６は、昇降操作レバー部材６１を手動で操作することで、機能部材（図示せず）が配置されたフロントベース部材５やタンクカバー３３を昇降させる。
【００３２】
昇降操作レバー部材６１は、フロントベース部材５の上面に配置される。昇降操作レバー部材６１は、タンクカバー３３の外部に露出する操作部６１１を有する。
昇降機構部６２は、伸縮軸機構部６３を有する。伸縮軸機構部６３は、圧縮ばね部材（図示せず）を有しており、フロントベース部材５は、昇降操作レバー部材６１の操作部６１１が押し込まれることで操作されて、昇降機構部６２の伸縮軸機構部６３が伸縮される動作が行われることで、リアベース部材４に対して上下方向に移動する。
【００３３】
タンク本体３１は、リアベース部材４の上方において、便器１１の後方かつ上方に配置され、便器本体１１ａを洗浄する洗浄水を貯留する。タンク本体３１は、便器洗浄タンク３に内装される。タンク本体３１の上部には、タンク蓋部３２が配置されている。タンク本体３１及びタンク蓋部３２は、タンクカバー３３に覆われている。
【００３４】
タンク本体３１は、洗浄水を貯留する。タンク本体３１は、図３に示すように、便器洗浄タンク３の左右方向Ｘに長く形成される。タンク本体３１は、上面が開口して形成され、底部３１ａ（図５参照）と、底部３１ａの周縁から立ち上がり周囲を囲むように形成される周壁３１ｂ（図４及び図５参照）と、を備える。周壁３１ｂは、タンク本体３１の外壁を構成する。
【００３５】
タンク本体３１の下部には、フラッパー弁３０１（図５参照）により開閉される排水口（図示せず）が形成されている。フラッパー弁３０１を引き上げて排水口を開放することにより、タンク本体３１の内部に貯留された洗浄水が排水口から流出して便器本体１１ａに供給され、便器本体１１ａが洗浄される。フラッパー弁３０１には、玉鎖３０２（図５参照）を介して洗浄ハンドルユニット３４に接続されており、操作ハンドル３７や操作ボタン（図示せず）の操作により、回転軸部材３８２（図４参照、後述）が回転動作されて、フラッパー弁３０１は、開閉される。
【００３６】
タンク本体３１は、タンク本体３１にタンク蓋部３２（図３参照）を取り付けるための構造として、図４に示すように、タンク本体３１の上面には、複数のタンク本体側係合部３１１が形成されている。複数のタンク本体側係合部３１１は、タンク蓋部３２に係合する。
【００３７】
タンク本体３１は、図４及び図５に示すように、第１リブとしての前方側リブ７と、第１リブ及び第２リブとしての後方側リブ８と、を有する。前方側リブ７及び後方側リブ８は、タンク本体３１の左右方向Ｘの一方側Ｘ１（図４及び図５における右側）に配置される。
【００３８】
前方側リブ７及び後方側リブ８は、図５に示すように、タンク本体３１の左右方向Ｘにおいて、洗浄ハンドルユニット３４の固定位置Ｘａ（後述）の近傍に配置される。本実施形態においては、洗浄ハンドルユニット３４の固定位置Ｘａの近傍とは、洗浄ハンドルユニット３４のタンク本体側洗浄ハンドル３８が回転操作された場合に、洗浄ハンドルユニット３４が固定されたタンク本体３１が前後方向Ｙへ傾く荷重が作用し易い左右方向Ｘの範囲を意味する。本実施形態においては、洗浄ハンドルユニット３４の固定位置Ｘａの近傍とは、図５に示すように、例えば、タンク本体側洗浄ハンドル３８の回転軸部材３８２（後述）の左右方向Ｘにおける一端部の位置Ａから他端部の位置Ｂまでの範囲である。この理由は、タンク本体側洗浄ハンドル３８の回転軸部材３８２（後述）の左右方向Ｘにおける一端部の位置Ａから他端部の位置Ｂまでの範囲は、タンク本体側洗浄ハンドル３８を操作した際に、回転軸部材３８２に玉鎖３０２を介して接続されたフラッパー弁３０１の荷重が作用して、タンク本体３１への荷重が大きくなりやすいためである。
【００３９】
前方側リブ７は、昇降装置６によるタンクカバー３３の昇降時に、便器洗浄装置２の前後方向Ｙの前方側Ｙ１においてタンク本体３１に対する下部カバー部３３ｂ（タンクカバー３３）の移動を規制する。前方側リブ７は、タンク本体３１の前後方向Ｙの前方側Ｙ１において、左右方向Ｘの一方側Ｘ１（図４及び図５における右側）の端部寄りに配置される。前方側リブ７は、タンク本体３１の上部に設けられる。
【００４０】
前方側リブ７は、一対の延出片７１，７１を有する。一対の延出片７１，７１は、前後方向Ｙ及び上下方向に平行な板状に形成される。一対の延出片７１，７１は、タンク本体３１の前方側Ｙ１の側面に形成されるタンク本体側係合部３１１の左右方向Ｘの両端部から、タンク本体３１の前方側Ｙ１に延出するように形成される。
【００４１】
一対の延出片７１，７１は、図４に示すように、タンク本体３１の上部において、前後方向Ｙ及び上下方向に平行に延びる板状に形成される。一対の延出片７１，７１は、互いが平行に対向して配置される。
【００４２】
一対の延出片７１，７１の前方側Ｙ１の先端部７１ａは、上下方向に直線状に延びて形成される。一対の延出片７１，７１の先端部７１ａは、図６に示すように、下部カバー部３３ｂ（タンクカバー３３）の内面から僅かに離間して配置され、下部カバー部３３ｂ（タンクカバー３３）の内面に対向する。
これにより、前方側リブ７は、一対の延出片７１，７１が下部カバー部３３ｂ（タンクカバー３３）の内面に対向して配置されることで、昇降装置６による下部カバー部３３ｂ（タンクカバー３３）の昇降時において、タンク本体３１の前後方向Ｙの前方側Ｙ１（下部カバー部３３ｂの前後方向Ｙの後方側Ｙ２）への移動を規制する。
【００４３】
後方側リブ８は、昇降装置６による下部カバー部３３ｂ（タンクカバー３３）の昇降時に、便器洗浄装置２の前後方向Ｙ及び左右方向Ｘにおいてタンク本体３１に対する下部カバー部３３ｂ（タンクカバー３３）の移動を規制する。後方側リブ８は、図４及び図５に示すように、タンク本体３１の前後方向Ｙの後方側Ｙ２において、左右方向Ｘの一方側Ｘ１（図４及び図５における右側）の端部において、左右方向Ｘの一方側Ｘ１（図４及び図５における右側）に水平に延在する板状に形成される。後方側リブ８は、タンク本体３１の上部に設けられる。
【００４４】
後方側リブ８の後方側Ｙ２には、図７及び図８に示すように、段差部８１が形成される。段差部８１は、図８に示すように、下部カバー部３３ｂ（タンクカバー３３）の後方側Ｙ２の内面に対向するように配置される。段差部８１は、下部カバー部３３ｂの内面に形成される内面縦リブ３３１により水平方向の位置が規制されるように、段差状に形成される。内面縦リブ３３１は、下部カバー部３３ｂの内面から内部側に突出し且つ上下方向に延びる板状に形成される。
【００４５】
段差部８１は、図７及び図８に示すように、上方から視た場合に段差状に形成されると共に、側方から視た場合に水平方向に延びる。段差部８１は、第１直線状部８１１と、傾斜部８１２と、第２直線状部８１３と、を有する。第１直線状部８１１は、後方側リブ８の後方側Ｙ２において左右方向Ｘに延びる。傾斜部８１２は、第１直線状部８１１の左右方向Ｘの一方側Ｘ１（図７及び図８における右側）の端部に接続されると共に、左右方向Ｘの他方側Ｘ２（図７及び図８における左側）から一方側Ｘ１（図７及び図８における右側）に向かうに従って下部カバー部３３ｂ（タンクカバー３３）の内面から離れるように傾斜して延びる。第２直線状部８１３は、傾斜部８１２の左右方向Ｘの一方側Ｘ１（図７及び図８における右側）の端部から左右方向Ｘの一方側Ｘ１（図７及び図８における右側）に左右方向Ｘに延びる。
【００４６】
このように構成される段差部８１は、図８に示すように、昇降装置６による昇降時において、下部カバー部３３ｂ（タンクカバー３３）の内面縦リブ３３１により、水平方向の移動が規制される。
【００４７】
具体的には、後方側リブ８は、段差部８１の第２直線状部８１３が、下部カバー部３３ｂの内面縦リブ３３１の先端部３３１ａに対向して配置されることで、昇降装置６による昇降時において、タンク本体３１の前後方向Ｙの後方側Ｙ２（下部カバー部３３ｂの前後方向Ｙの前方側Ｙ１）への移動を規制する。
【００４８】
また、後方側リブ８は、段差部８１の傾斜部８１２が、下部カバー部３３ｂの内面縦リブ３３１の先端部３３１ａに対して左右方向Ｘの他方側Ｘ２（図８における左側）において、左右方向Ｘの一方側Ｘ１（図８における右側）から他方側Ｘ２（図８における左側）に向かうに従って下部カバー部３３ｂの内面側に向かうように傾斜して延びることで、昇降装置６による昇降時において、タンク本体３１の左右方向Ｘの一方側Ｘ１（図８における右側）（下部カバー部３３ｂの左右方向Ｘの他方側Ｘ２）への移動を規制する。なお、タンク本体３１の左右方向Ｘの他方側Ｘ２（図４及び図５における左側）は、位置規制部材（図示せず）により、タンク本体３１の左右方向Ｘの他方側Ｘ２（図４及び図５における左側）への移動が規制されている。
【００４９】
また、段差部８１は、図８に示すように、傾斜部８１２と第２直線状部８１３とが連続して形成されており、傾斜部８１２と第２直線状部８１３とが接続された接続部分８１０が形成される。接続部分８１０は、傾斜部８１２と第２直線状部８１３とを滑らかにつなぐ部分である。そのため、昇降装置６による下部カバー部３３ｂ（タンクカバー３３）の昇降時において、タンク本体３１に対する下部カバー部３３ｂ（タンクカバー３３）の水平方向の位置がずれても、下部カバー部３３ｂの内面縦リブ３３１の先端部３３１ａが接続部分８１０側に導かれて、下部カバー部３３ｂ（タンクカバー３３）の前後方向Ｙ及び左右方向Ｘへの移動が規制される。
【００５０】
洗浄ハンドルユニット３４は、図４に示すように、タンク本体３１における左右方向Ｘの一方側Ｘ１（図４における右側）の端部の上部に配置される。洗浄ハンドルユニット３４は、ケーシング部材３５と、モータ３６と、操作ハンドル３７と、を有する。操作ハンドル３７は、タンク本体側洗浄ハンドル３８と、カバー側洗浄ハンドル３９と、を備える。
【００５１】
モータ３６及びタンク本体側洗浄ハンドル３８は、ケーシング部材３５に取り付けられている。モータ３６は、図４及び図５に示すように、ケーシング部材３５の後方側Ｙ２において、ケーシング部材３５に収容されている。
【００５２】
タンク本体側洗浄ハンドル３８は、タンク本体側ハンドル板３８１と、軸部材としての回転軸部材３８２と、を有する。タンク本体側洗浄ハンドル３８は、タンク本体側ハンドル板３８１が回転操作されることで、回転軸部材３８２を回転させることが可能である。
【００５３】
回転軸部材３８２は、ケーシング部材３５におけるモータ３６よりも前方側Ｙ１において、ケーシング部材３５を左右方向Ｘに貫通して配置されている。回転軸部材３８２は、タンク本体３１の左右方向Ｘに延びる。回転軸部材３８２は、クラッチ（図示せず）などの切り替え動作により、自動洗浄時において、モータ３６の回転駆動力が伝達されるように構成され、手動洗浄時において、モータ３６の回転駆動力が伝達されないように構成される。回転軸部材３８２の左右方向Ｘの一方側Ｘ１（図５における右側）の端部には、タンク本体側ハンドル板３８１が接続されている。回転軸部材３８２の左右方向Ｘの他方側Ｘ２（図５における左側）の端部には、玉鎖３０２が接続されている（図５参照）。
【００５４】
タンク本体側ハンドル板３８１は、前後方向Ｙの中央において、回転軸部材３８２の左右方向Ｘの一方側Ｘ１（図５における右側）の端部に接続される。タンク本体側ハンドル板３８１は、前後方向Ｙに水平に延びる板状に形成される。タンク本体側ハンドル板３８１には、左右方向Ｘの一方側Ｘ１（図５における右側）の端部側において、前後方向Ｙの中央に、凹部３８１ａが形成されている。
【００５５】
ケーシング部材３５には、図５に示すように、一対の取付延在部３５１，３５１が形成されている。一対の取付延在部３５１，３５１は、ケーシング部材３５の上方側の位置からタンク本体３１の前後方向Ｙそれぞれに向かって水平に延びる。取付延在部３５１，３５１は、タンク本体３１の一対の座面３１２，３１２に掛け渡される。一対の座面３１２，３１２は、タンク本体３１の一方側Ｘ１（図５における右側）の端部側に形成され、前後方向Ｙに離間して配置される。一対の座面３１２，３１２は、タンク本体３１の周壁３１ｂの上方であって上面に形成される。
【００５６】
一対の座面３１２，３１２には、洗浄ハンドルユニット３４の一対の取付延在部３５１，３５１が取り付けられる。タンク本体３１の座面３１２，３１２には、座面側ねじ穴（図示せず）が形成される。取付延在部３５１，３５１には、ハンドル側取付貫通穴（図示せず）が形成されている。
【００５７】
モータ３６及びタンク本体側洗浄ハンドル３８が取り付けられたケーシング部材３５をタンク本体３１に固定する場合には、図５に示すように、ケーシング部材３５の取付延在部３５１，３５１をタンク本体３１の座面３１２，３１２に配置した状態で、ねじ部材１０１，１０１により、座面側ねじ穴（図示せず）及びハンドル側取付貫通穴（図示せず）に挿入して、タンク本体側洗浄ハンドル３８をタンク本体３１に取り付ける。
このようにして、ケーシング部材３５は、一対の取付延在部３５１，３５１において、ねじ部材１０１により、タンク本体３１に固定される。これにより、モータ３６及びタンク本体側洗浄ハンドル３８は、タンク本体３１に固定される。
【００５８】
タンク本体側洗浄ハンドル３８のタンク本体３１へのねじ部材１０１，１０１による固定位置Ｘａは、タンク本体３１の左右方向Ｘにおいて、タンク本体３１の左右方向Ｘの一方側Ｘ１（図４及び図５における右側）の端部側における固定位置である。前方側リブ７及び後方側リブ８は、前述の通り、タンク本体３１の左右方向Ｘにおいて、固定位置Ｘａの近傍に配置される。
【００５９】
カバー側洗浄ハンドル３９は、図４及び図９に示すように、タンク本体側洗浄ハンドル３８とは別体により構成され、図９に示すように、タンクカバー３３の下部カバー部３３ｂに取り付けられている。カバー側洗浄ハンドル３９は、昇降装置６によるタンクカバー３３の昇降に伴って昇降する。カバー側洗浄ハンドル３９は、図４に示すように、タンクカバー３３の定位置において、タンク本体側洗浄ハンドル３８のタンク本体側ハンドル板３８１の上部に載置されており、タンク本体側洗浄ハンドル３８を回転させることが可能な位置に配置される。カバー側洗浄ハンドル３９は、図２及び図９に示すように、タンクカバー３３の上昇位置において、定位置（図１参照）よりも上方側に離間して配置される。
【００６０】
カバー側洗浄ハンドル３９は、カバー側ハンドル本体３９１と、二股部材３９２を有する。カバー側ハンドル本体３９１は、図９に示すように、下部カバー部３３ｂの外側に配置される。カバー側ハンドル本体３９１は、図４に示すように、下部に突出する摘まみ部３９１ａを有する。
【００６１】
二股部材３９２は、図９に示すように、下部カバー部３３ｂの内側に配置され、カバー側ハンドル本体３９１の内側に取り付けられる。二股部材３９２は、昇降装置６によるタンクカバー３３の定位置（図１参照）においては、タンク本体側洗浄ハンドル３８のタンク本体側ハンドル板３８１の上部に配置され、昇降装置６によるタンクカバー３３の上昇位置（図２、図９参照）においては、タンク本体側洗浄ハンドル３８のタンク本体側ハンドル板３８１から上方側に離間して配置される。
【００６２】
二股部材３９２は、図４に示すように、タンク本体３１の前後方向Ｙに離れるように二股に分かれて延びる。二股部材３９２の前後方向Ｙの中央の下部には、下方に膨出する膨出部３９２ａが形成されている。膨出部３９２ａは、昇降装置６によるタンクカバー３３の定位置（図１参照）において、タンク本体側洗浄ハンドル３８のタンク本体側ハンドル板３８１の凹部３８１ａに配置される。
【００６３】
以上のように構成される洗浄ハンドルユニット３４は、昇降装置６における定位置（図１参照）において、操作ハンドル３７により手動の洗浄操作が実行された場合に、モータ３６が駆動されずに、回転軸部材３８２が回転して、フラッパー弁３０１を開閉させる。また、洗浄ハンドルユニット３４は、操作ボタン等の操作により自動の洗浄操作が実行された場合に、モータ３６が駆動して、回転軸部材３８２が回転して、フラッパー弁３０１を開閉させる。
【００６４】
次に、本発明の昇降装置６を手動にて昇降させる操作について説明する。
便器１１とフロントベース部材５との間の隙間を広く開けて、便器１１の上面１１ｂ（図１及び図２参照）などを清掃したい場合には、昇降装置６の定位置（図１参照）において、昇降操作レバー部材６１の操作部６１１（図１参照）を押し込むことで操作を行う。これにより、昇降機構部６２の伸縮軸機構部６３には、圧縮ばね部材（図示せず）より、上方側に弾性力が付与される。
【００６５】
そして、図１及び図２に示すように、フロントベース部材５に接続された上部カバー部３３ａを手動で上方に持ち上げる。これにより、圧縮ばね部材（図示せず）により上方側に弾性力が付与されているため、容易に、機能部材（図示せず）が配置されたフロントベース部材５を、リアベース部材４に対して上昇させることができる。同時に、タンクカバー３３の下部カバー部３３ｂに取り付けられたカバー側洗浄ハンドル３９も上方に移動される。
【００６６】
フロントベース部材５を上方に持ち上げると、昇降機構部６２の係止突起（図示せず）は、昇降装置６の上昇時において、被係止部（図示せず）に係止される。これにより、昇降装置６が上昇位置（図２参照）に位置される。
【００６７】
このようにすることで、便器１１とフロントベース部材５との間の隙間が広がって、フロントベース部材５が上昇位置（図２参照）を保持しているため、便器１１の上面１１ｂとフロントベース部材５との間の隙間に手を入れやすくなる。よって、便器１１の上面１１ｂなどを容易に清掃することができる。
【００６８】
昇降装置６を上昇位置（図２）から定位置（図１）に戻す場合には、フロントベース部材５に接続されたタンクカバー３３を手動で下方に移動させる。これにより、被係止部（図示せず）に係止された係止突起（図示せず）が被係止部（図示せず）から外れて、フロントベース部材５を下方に移動させることができる。
【００６９】
以上のように動作される便器洗浄装置２においては、フロントベース部材５及びタンクカバー３３の昇降時において、前方側リブ７及び後方側リブ８は、便器洗浄装置２の前後方向Ｙにおいてタンク本体３１に対するタンクカバー３３の移動を規制する。そのため、前方側リブ７及び後方側リブ８は、タンクカバー３３が前後方向Ｙにずれようとしても、タンク本体３１に対してタンクカバー３３の移動を前後方向Ｙにガイドする。これにより、前方側リブ７及び後方側リブ８は、タンク本体３１に対して、タンクカバー３３の前後方向Ｙのガタツキを低減できる。
【００７０】
また、フロントベース部材５及びタンクカバー３３の昇降時において、後方側リブ８は、タンク本体３１に対する便器洗浄装置２の左右方向Ｘにおいてタンク本体３１に対するタンクカバー３３の移動を規制する。そのため、後方側リブ８は、タンクカバー３３が左右方向Ｘにずれようとしても、タンク本体３１に対してタンクカバー３３の移動を左右方向Ｘにおいてガイドする。これにより、タンク本体３１に対して、タンクカバー３３の左右方向Ｘのガタツキを低減できる。
【００７１】
特に、本実施形態においては、例えば手洗い部９が上部に形成されるように、タンクカバー３３が上下方向に長く形成される場合に、昇降装置６によりタンクカバー３３を昇降させる構成において、前方側リブ７及び後方側リブ８を設けた。そのため、タンクカバー３３が上下方向に長く形成される場合に、昇降装置６においてタンクカバー３３を昇降させる際に、タンク本体３１に対して、タンクカバー３３の前後方向Ｙ及び左右方向Ｘの移動を規制して、タンクカバー３３の前後方向Ｙ及び左右方向Ｘの位置ズレを規制して、上下方向に長いタンクカバー３３を安定して昇降させることができる。
【００７２】
また、本実施形態においては、便器洗浄装置２の左右方向Ｘにおいて、洗浄ハンドルユニット３４が配置される一方側Ｘ１（図５における右側）において、タンク本体３１とタンクカバー３３との間には、洗浄ハンドルユニット３４を配置するための空間を設けている。洗浄ハンドルユニット３４を配置するための空間を設けているため、タンク本体３１とタンクカバー３３との間の隙間は大きくなりがちである。これに対して、本発明においては、前方側リブ７及び後方側リブ８を設けることで、洗浄ハンドルユニット３４を配置するための空間があっても、タンク本体３１に対して、タンクカバー３３の左右方向Ｘのガタツキを低減できる。
【００７３】
また、本実施形態においては、昇降装置６によるタンクカバー３３の昇降時において、タンクカバー３３の前後方向Ｙ及び左右方向Ｘの移動を規制することで、上昇位置と定位置とにおいて、カバー側洗浄ハンドル３９の前後方向Ｙの位置ズレを抑制する。これにより、上昇位置から定位置に移動する場合に、カバー側洗浄ハンドル３９を、タンク本体側洗浄ハンドル３８のタンク本体側ハンドル板３８１の上部に載置できる。よって、カバー側洗浄ハンドル３９を、タンク本体側洗浄ハンドル３８を回転することが可能な位置に安定して移動させることができる。
【００７４】
以上説明した本実施形態の便器洗浄装置２によれば、以下のような効果を奏する。
本実施形態の便器洗浄装置２は、タンク本体３１と、少なくともタンク本体３１の側部を覆うタンクカバー３３と、タンク本体３１に固定され、軸部材３８２を回転させることが可能なタンク本体側洗浄ハンドル３８と、タンクカバー３３に取り付けられるカバー側洗浄ハンドル３９と、を備え、タンク本体３１は、便器洗浄装置２の前後方向Ｙにおいてタンク本体３１に対するタンクカバー３３の移動を規制する前方側リブ７及び後方側リブ８を有する。
【００７５】
そのため、前方側リブ７及び後方側リブ８により便器洗浄装置２の前後方向Ｙの移動を規制して、前方側リブ７及び後方側リブ８により前後方向Ｙにおいてタンクカバー３３をガイドするため、前後方向Ｙにおけるタンクカバー３３のガタツキを低減できる。
また、タンクカバー３３の前後方向Ｙの移動を規制することで、カバー側洗浄ハンドル３９の前後方向Ｙの位置ズレを抑制する。これにより、カバー側洗浄ハンドル３９を、タンク本体側洗浄ハンドル３８を回転することが可能な位置に安定して配置させることができる。よって、タンクカバー３３を設置した時点で、カバー側洗浄ハンドル３９を定位置に設置することができる。
【００７６】
また、本実施形態においては、タンク本体３１は、便器洗浄装置２の左右方向Ｘにおいてタンクカバー３３の移動を規制する後方側リブ８を有する。
そのため、後方側リブ８により便器洗浄装置２の左右方向Ｘの移動を規制して、後方側リブ８により左右方向Ｘにおいてタンクカバー３３をガイドするため、左右方向Ｘにおけるタンクカバー３３のガタツキを低減できる。
また、カバー側洗浄ハンドル３９の左右方向Ｘの位置ズレを抑制して、カバー側洗浄ハンドル３９を、タンク本体側洗浄ハンドル３８を回転することが可能な位置に安定して配置させることができる。よって、タンクカバー３３を設置した時点で、カバー側洗浄ハンドル３９を定位置に設置することができる。
【００７７】
また、本実施形態においては、前方側リブ７及び後方側リブ８は、タンク本体３１に設けられると共に、タンク本体３１の上部に設けられる。そのため、タンク本体３１の上部において便器洗浄装置２の前後方向Ｙの移動を規制して、タンクカバー３３を安定してガイドでき、便器洗浄装置２の前後方向Ｙにおけるタンクカバー３３のガタツキを一層低減できる。
【００７８】
また、本実施形態においては、前方側リブ７及び後方側リブ８は、タンク本体側洗浄ハンドル３８の近傍に配置される。これにより、タンク本体側洗浄ハンドル３８が操作される際の荷重によりタンク本体３１やタンクカバー３３が前後方向Ｙに傾いても、前方側リブ７及び後方側リブ８がタンク本体側洗浄ハンドル３８の近傍に配置されるため、タンク本体３１の前後方向Ｙの移動を規制して、タンクカバー３３を安定してガイドでき、前後方向Ｙにおけるタンクカバー３３のガタツキを一層低減できる。
【００７９】
また、本実施形態においては、前方側リブ７及び後方側リブ８は、便器洗浄装置２の左右方向Ｘにおいて、タンク本体側洗浄ハンドル３８とタンク本体３１との固定位置Ｘａの近傍に配置される。これにより、タンク本体側洗浄ハンドル３８とタンク本体３１との固定位置Ｘａにタンク本体側洗浄ハンドル３８が操作される際の荷重が作用しても、前方側リブ７及び後方側リブ８は、タンク本体３１に対するタンクカバー３３の前後方向Ｙの移動を規制して、タンクカバー３３を安定してガイドでき、前後方向Ｙにおけるタンクカバー３３のガタツキを一層低減できる。
【００８０】
また、本実施形態においては、タンクカバー３３を上昇前の定位置と上昇後の上昇位置との間で昇降させる昇降装置６を備え、カバー側洗浄ハンドル３９は、昇降装置６によるタンクカバー３３の昇降に伴って昇降し、タンクカバー３３の定位置においてタンク本体側洗浄ハンドル３８を回転させることが可能な位置に配置され、タンクカバー３３の上昇位置において定位置よりも上方側に離間して配置される。これにより、昇降装置６によるタンクカバー３３の昇降時において、タンクカバー３３の前後方向Ｙ及び／又は左右方向Ｘの移動を規制することで、上昇位置と定位置とにおいて、カバー側洗浄ハンドル３９の前後方向Ｙ及び／又は左右方向Ｘの位置ズレを抑制する。これにより、上昇位置から定位置に移動する場合に、カバー側洗浄ハンドル３９を、タンク本体側洗浄ハンドル３８を回転することが可能な位置に安定して移動させることができる。
【００８１】
以上、本発明の便器洗浄装置２の好ましい実施形態について説明したが、本発明は、上述した実施形態に制限されるものではなく、適宜変更が可能である。
例えば、前記実施形態では、タンクカバー３３を昇降させる昇降装置を備える構成としたが、これに限定されない。タンクカバー３３を昇降させる昇降装置を備えない構成としてもよい。
【００８２】
前記実施形態では、前方側リブ７及び後方側リブ８をタンク本体３１側に設けたが、これに限定されず、タンクカバー３３側に設けてもよい。
【００８３】
前記実施形態では、前方側リブ７及び後方側リブ８の両方をタンク本体３１の上部に設けたが、これに限定されない。前方側リブ７又は後方側リブ８の一方のみをタンク本体３１の上部に設けてもよい。
【００８４】
前記実施形態では、前方側リブ７及び後方側リブ８の両方を、タンク本体側洗浄ハンドル３８の近傍に設けると共に、タンク本体側洗浄ハンドル３８とタンク本体３１との固定位置Ｘａの近傍に設けたが、これに限定されない。前方側リブ７又は後方側リブ８の一方のみを、タンク本体側洗浄ハンドル３８の近傍に設けたり、前方側リブ７又は後方側リブ８の一方のみを、タンク本体側洗浄ハンドル３８とタンク本体３１との固定位置Ｘａの近傍に設けてもよい。
【００８５】
前記実施形態では、昇降装置６は、手動で昇降させるように構成したが、これに限定されず、昇降用のモータを備え、モータの駆動により自動で昇降させるように構成してもよい。
【符号の説明】
【００８６】
２  便器洗浄装置
６  昇降装置
７  前方側リブ（第１リブ）
８  後方側リブ（第１リブ、第２リブ）
３１  タンク本体
３３  タンクカバー
３８  タンク本体側洗浄ハンドル
３９  カバー側洗浄ハンドル
３８２  回転軸部材（軸部材）
Ｘ  左右方向
Ｘａ  固定位置
Ｙ  前後方向
【図１】
2017197969.tif 000003
【図２】
2017197969.tif 000004
【図３】
2017197969.tif 000005
【図４】
2017197969.tif 000006
【図５】
2017197969.tif 000007
【図６】
2017197969.tif 000008
【図７】
2017197969.tif 000009
【図８】
2017197969.tif 000010
【図９】
2017197969.tif 000011